(57)【要約】【課題】  本発明は、表示画面を備えその表示画面への画像表示処理機能を含む情報処理機能を有する、いわゆるタブレットＰＣ等の情報処理装置に関し、小型化あるいは薄型化を図る。【解決手段】  ネジ止め用金具１５０，１６０，１７０で前面カバー１２０とＬＣＤユニット１３０とをネジ止めするとともに、そのネジ止め用金具の、ＬＣＤユニット１３０と重なる位置に、背面カバー１４０をネジ止めするためのネジ穴１５３，１６３，１７３を設けておき、背面カバー１４０もそのネジ止め用金具１５０，１６０，１７０を用いてネジ止めする。【選択図】        図８
2010282217.tif 000002
【特許請求の範囲】
【請求項１】
前面に表示画面を有し、その周縁部に前記前面と背面を貫通する貫通穴を有する板状の表示パネルと、
前記表示画面に対応した位置に表示窓を有し前記表示パネルの前記前面側を覆う第１のカバーと、
前記表示パネルの前記背面側を覆うことにより前記第１のカバーと共同して前記表示パネルを内部に収容する第２のカバーと、
前記表示パネルの周縁部への固定用の第１の穴と、前記第１のカバーへの固定用の第２の穴と、前記第２のカバーの固定用の第３の穴とを有する固定用部材と、
当該電子装置の動作のために電力を供給するバッテリとを備え、
前記固定用部材は前記表示パネルの前記貫通穴と前記第１の穴が利用されて前記表示パネルに固定され、前記第３の穴は該固定用部材が前記表示パネルに固定されたときの該表示パネルに重なる位置に有するものであることを特徴とする電子装置。
【請求項２】
前記第３の穴がネジ穴であり、前記第２のカバーは該ネジ穴とネジによって固定されることを特徴とする請求項１記載の電子装置。
【請求項３】
前記表示パネルは前記周縁部に前記表示画面を囲む枠体を有し、前記貫通穴は前記枠体に形成されていることを特徴とする請求項１または２記載の電子装置。
【請求項４】
前記固定用部材は金具であることを特徴とする請求項１乃至３のいずれか１項記載の電子装置。
【請求項５】
前記表示画面への画像表示処理機能を含む情報処理機能が搭載されることを特徴とする請求項１乃至４のいずれか１項記載の電子装置。
【発明の詳細な説明】
【技術分野】
【０００１】
本発明は、表示画面を備えた電子装置に関する。
【背景技術】
【０００２】
近年、いわゆるタブレット型パーソナルコンピュータと呼ばれるペン入力型パーソナルコンピュータ（以下タブレットＰＣと略記する）が提案され商品化されている。
【０００３】
このタブレットＰＣは、大サイズの表示画面を有し、その表示画面にペンを接触あるいは接近させることによりペンの接触あるいは接近位置を検出することによりユーザの指示等を入力するタイプの、全体として矩形平板型に形成されたパーソナルコンピュータである。
【０００４】
このタブレットＰＣは、通常、表示画面を有するＬＣＤ表示パネル等の表示パネルを前面カバーと背面カバーとで挟んだ三層構造に構成される。
【０００５】
特許文献１は、タブレットＰＣではなく三層構造の表示パネルユニットの例であるが、ＬＣＤユニットを固定金具とともに内側カバーに取り付けた後外側カバーを取り付ける構造が示されている。この特許文献１の技術によれば、外側カバーを外すだけでＬＣＤユニットの裏面全体を露出することができ、点検修理の便が図られている。
【先行技術文献】
【特許文献】
【０００６】
【特許文献１】特開平５−１５０２２４号公報
【発明の概要】
【発明が解決しようとする課題】
【０００７】
タブレットＰＣはユーザが手に持ってペン入力等を行なうことができるように開発されたものであり、表示情報量の増大や作業性の向上のために表示画面の大型化が望まれる一方で、携帯性のために装置外形の小型化も望まれている。すなわち、表示画面の面積より小さくはできないものの、その表示画面が矩形平板のできるだけ端まで広がり表示画面の周囲に食み出したカバー部分の面積をできるだけ小さくするという意味での小型化や、その矩形平板の厚さをできるだけ薄くする薄型化が求められている。
【０００８】
例えば、上述の特許文献１の場合、表示画面の周囲が大きく広がっており、上述の意味での小型化の工夫は見られない。
【０００９】
本発明は、上記事情に鑑み、タブレットＰＣ等の電子装置における小型化あるいは薄型化を目的とするものである。
【課題を解決するための手段】
【００１０】
上記目的を達成する本発明の電子装置のうちの第１の電子装置は、
前面に表示画面を有する板状の表示パネルと、
上記表示画面に対応した位置に表示窓を有し表示パネルの一面側を覆う第１のカバーと、
表示パネルの他面側を覆うことにより第１のカバーと共同して表示パネルを内部に収容する第２のカバーとを備えた電子装置において、
表示パネル周縁部への固定用の第１の穴と、第１のカバーへの固定用の第２の穴と、第２のカバーの固定用の第３の穴とを有する固定用部材を備え、
上記固定用部材が、第３の穴を、第１の穴が利用されて固定用部材が表示パネルに固定されたときのその表示パネルに重なる位置に有するものであることを特徴とする。
【００１１】
ここで、上記第１の電子装置において、上記第３の穴がネジ穴であり、第２のカバーはそのネジ穴とネジによって固定されることが好ましい。
【００１２】
また、上記目的を達成する本発明の電子装置のうちの第２の電子装置は、
前面に表示画面を有する板状の表示パネルと、
上記表示画面に対応した位置に表示窓を有し表示バネルの一面側を覆う第１のカバーと、
表示パネルの他面側を覆うことにより第１のカバーと共同して表示パネルを内部に収容する第２のカバーとを備えた電子装置において、
第１のカバーへの固定用の第４の穴と第２のカバーの固定用の第５の穴とを有する固定用部材を備え、
上記固定用部材は、第５の穴を、表示パネルと第１のカバーとが固定され、さらにその固定用部材が第１のカバーに固定されたときの表示パネルに重なる位置に有するものであることを特徴とする。
【００１３】
この第２の電子装置において、上記第５の穴がネジ穴であり、第２のカバーはそのネジ穴とネジによって固定されることが好ましい。
【００１４】
また、上記目的を達成する本発明の電子装置のうちの第３の電子装置は、
前面に表示画面を有する板状の表示パネルと、
上記表示画面に対応した位置に表示窓を有し表示パネルの一面側を覆う第１のカバーと、
表示パネルの他面側を覆うことにより第１のカバーと共同して表示パネルを内部に収容する第２のカバーとを備えた電子装置において、
上記第２のカバーが開口部を有し、その第２のカバーが、
底部中央部が開口し上記開口部に嵌入してその開口部周縁に支持された箱形の板金部材と、
上記板金部材に嵌入しその板金部材の底部周縁部に支持された状態に上記開口部内部に配備された、ディスク型記憶媒体を駆動するディスク装置とを備えたことを特徴とする。
【００１５】
ここで第３の電子装置において、上記ディスク装置は、典型的には、ハードディスクを内蔵しそのハードディスクを駆動するハードディスク装置である。
【００１６】
さらに、上記目的を達成する本発明の電子装置のうちの第４の電子装置は、
前面に表示画面を有する板状の表示パネルと、
上記表示画面に対応した位置に表示窓を有し表示パネルの一面側を覆う第１のカバーと、
表示パネルの他面側を覆うことにより第１のカバーと共同して表示パネルを内部に収容する第２のカバーとを備えた電子装置において、
電力供給を受けて、その電力を表示パネルに供給するための電力に変換する電力変換器を備え、その電力変換器が、第１のカバーに固定され表示パネル背面に重なる位置に配備されたものであることを特徴とする。
【００１７】
ここで、上記本発明の第４の電子装置において、
上記表示パネルが、ペンの接触あるいは接近位置を検出するペン入力機能を有するものであって、
第１のカバーに固定され表示パネル背面に重なる位置に配備された、ペンを収容するペンケースを備え、
電力変換器は、ペンケースに固定されそのペンケースを介して第１のカバーに固定されたものであることを特徴とする。
【００１８】
ここで、上記本発明の第４の電子装置において、上記電力変換器は、典型的には、表示画面のバックライト用の電力を供給するインバータである。
【００１９】
また、上記本発明の第１および第２の電子装置において、上記固定用部材は金具であることが好ましく、また上記本発明の第１〜第４のいずれの電子装置においても、その電子装置には、表示画面への画像表示処理機能を含む情報処理機能が搭載されることが好ましい。
【００２０】
さらに、上記目的を達成する本発明の電子装置のうちの第５の電子装置は、
前面に表示画面を有する板状の表示パネルと、
上記表示画面に対応した位置に表示窓を有し表示バネルの一面側を覆う第１のカバーと、
表示画面への画像表示処理機能を含む情報処理機能が搭載され表示パネルの他面側を覆うことにより第１のカバーと共同して表示パネルを内部に収容する第２のカバーとを備えた電子装置において、
表示パネル周縁部への固定用の第１の穴と、第１のカバーへの固定用の第２の穴と、第２のカバーの固定用の第３の穴とを有する固定用金具を備え、
第２のカバーは上記固定用金具の第３の穴にネジ止めされることを特徴とする。
【００２１】
また、上記目的を達成する本発明の電子装置のうちの第６の電子装置は、
前面に表示画面を有する板状の表示パネルと、
上記画面に対応した位置に表示窓を有し表示パネルの一面側を覆う第１のカバーと、
上記画面への画像表示処理機能を含む情報処理機能が搭載され表示バネルの他面側を覆うことにより第１のカバーと共同して表示パネルを内部に収容する第２のカバーとを備えた電子装置において、
表示パネル周縁部への固定用の第１の穴と、第１のカバーヘの固定用の第２の穴と、第２のカバーの固定用の第３の穴とを有する固定用部材を備え、
上記用部材は、第３の穴を、第１の穴が利用されて固定用部材が表示パネルに固定されたときの表示パネルおよび固定用部材を包含する矩形領域に重なる位置に有するものであることを特徴とする。
【００２２】
さらに、上記目的を達成する本発明の電子装置のうちの第７の電子装置は、
前面に表示画面を有する板状の表示パネルと、
上記表示画面に対応した位置に表示窓を有し表示パネルの一面側を覆う第１のカバーと、
表示パネルの他面側を覆うことにより第１のカバーと共同して表示パネルを内部に収容する第２のカバーとを備えた電子装置において、
第１のカバーヘの固定用の第４の穴と第２のカバーの固定用の第５の穴とを有する固定用部材を備え、
上記固定用部材は、第５の穴を、表示パネルと第１のカバーとが固定され、さらにその固定用部材が第１のカバーに固定されたときの表示パネルおよび周定用部材を包含する矩形領域に重なる位置に有するものであることを特徴とする。
【発明の効果】
【００２３】
本発明の第１の電子装置によれば、第１〜第３の穴を有する固定用部材が、第３の穴を、表示パネルに重なる位置に有するものであるため、第２のカバーは、表示パネルに重なった位置でその固定用部材に固定され、したがって表示パネルより外側に食み出す領域の面積を小さくすることができ、小型化に寄与する。
【００２４】
また、本発明の第２の電子装置によれば、上記第４〜第５の穴を有する固定用部材を備えると、第２のカバーを強固にネジ止めすることができる。
【００２５】
また、本発明の第３の電子装置によれば、上記の板金部材を薄板で形成することができ、またこの板金部材が一種のクッション材としての役割りを担うため、ディスク装置の周囲には通常は厚いクッション材を配備する必要があるところ、極めて薄いクッション材を配備すればよく薄型化に寄与する。
【００２６】
また、本発明の第４の電子装置によれば、表示パネルへの電力供給に必要な電力変換器を表示パネル背面に重ねたため、表示パネルの横に並べたときと比べ表示パネルから食み出す領域の面積を小さくすることができ、小型化に寄与する。
【００２７】
また、本発明の第５の電子装置によれば、上記の固定用金具を備えたため、この金具に第２のカバーを取り付けることで、背面カバーを前面カバーに取り付ける従来技術のように、第１のカバーにネジ止め用の大きなボスが不要となり、枠が小さくなり、小型化に寄与する。
【００２８】
さらに、本発明の第６の電子装置および第７の電子装置は、第２のカバー固定用の固定用部材の穴が表示パネルと固定用部材を包含する矩形領域内に設けられるというものであり、これによっても、枠が小さくなり、小型化に寄与する。
【図面の簡単な説明】
【００２９】
【図１】本発明の電子装置の一実施形態であるタブレットＰＣを含むＰＣシステムの構成を示す分解斜視図である。
【図２】図１に示すタブレットＰＣの分解斜視図である。
【図３】ＬＣＤパネルへのネジ止め用金具の取付位置を示す斜視図である。
【図４】ＬＣＤパネルへのネジ止め用金具の取付位置を示す斜視図である。
【図５】ネジ止め用金具を示す６面図である。
【図６】ネジ止め用金具を示す６面図である。
【図７】ネジ止め用金具を示す６面図である。
【図８】前面カバーに取付けられた状態のＬＣＤユニットと背面カバーとを示す分解斜視図である。
【図９】比較例としての従来のタブレットＰＣの一例を示す分解斜視図である。
【図１０】図１に示すタブレットＰＣの背面を示す図である。
【図１１】図１に示すタブレットＰＣのＨＤＤ装置まわりの分解斜視図である。
【図１２】板金部材の斜視図である。
【図１３】板金部材の６面図である。
【図１４】図１１に示す開口部を示す斜視図（Ａ）および平面図（Ｂ）である。
【図１５】開口部に板金部材を嵌入させた状態を示す斜視図（Ａ）および平面図（Ｂ）である。
【図１６】比較例としての、従来のタブレットＰＣの一例を示す分解斜視図である。
【図１７】もう１つの比較例としての、従来のタブレットＰＣのもう１つの例を示す分解斜視図である。
【図１８】図１に示すタブレットＰＣを構成するＬＣＤユニットとペンケースとを示した分解斜視図である。
【図１９】ペンケースとインバータの斜視図である。
【図２０】背面カバーの斜視図である。
【図２１】前面カバーに固定された状態のＬＣＤユニットと背面カバーとを示す斜視図である。
【図２２】比較例としての従来のタブレットＰＣの一例を示す分解斜視図である。
【発明を実施するための形態】
【００３０】
以下、本発明の実施形態について説明する。
【００３１】
図１は、本発明の電子装置の一実施形態であるタブレットＰＣを含むＰＣシステムの全体構成を示す分解斜視図である。
【００３２】
このＰＣシステム１は、タブレットＰＣ１０とドッキングユニット２０とから構成されている。
【００３３】
タブレットＰＣ１０は、本体部１１と、バッテリユニット１２と、ペン１３とから構成されている。本体部前面には、周囲の枠を残しそのほとんどの領域に表示画面１１１が広がっている。また、その本体部１１の枠の部分には、様々なタイプのＩ／Ｏ用コネクタ１１２や各種操作ボタン１１３が配備されている。また、その枠の部分には、図示しないワイヤレスのキーボードやワイヤレスのマウス等との間で赤外線通信を行なうための赤外線通信部１１４が配備されている。さらに、その枠の部分には、ペン１３が挿入されるペン開口１１５が設けられており、本体部１１の内部にはそのペン開口１１５に続く部分にペンケース（後述する）が配備されている。ペン１３は、そのペン開口１１５からペンケース内に矢印Ａ方向に挿入されることにより、その本体部１１に収納、保持される。
【００３４】
また、バッテリユニット１２は、本体部１１に矢印Ｂ方向にドッキングした状態で使用され、本体部１１はバッテリユニット１２から電力の供給を受けて動作する。
【００３５】
このタブレットＰＣ１０は、ペンケースからペン１３を取り出してその先端を表示画面１１１上に当てると、ペン１３と本体部１１との間の電磁誘導作用により、その表示画面１１１上の、ペン１３が当てられた点の座標が認識できるように構成されている。また、このタブレットＰＣ１０には、表示画面１１１上をペン１３の先端でなぞることによりこのタブレットＰＣ１０にユーザからの様々な情報や指示を入力するという操作に適したＯＳ（オペレーティングシステム）がインストールされている。複雑な情報を入力する場合等には、表示画面上にキーボードを表示し、その表示されたそのキーボード上のキーをペン先で押すことによりキーボード的な情報入力も可能である。
【００３６】
また、ドッキングユニット２０は、タブレットＰＣ１０の表示画面を一般のパーソナルコンピュータの表示画面のように少し斜めにして立てた状態にそのタブレットＰＣ１０を着脱自在に固定するためのものである。タブレットＰＣ１０をドッキングユニット２０に固定させ、図示しないワイヤレスキーボードやワイヤレスマウスを用意すれば、一般のパーソナルコンピュータと同等の取り扱いも可能となる。
【００３７】
このドッキングユニット２０の、タブレットＰＣ１０を支持する支持部２１の中央にはタブレットＰＣ１０の背面に備えられたコネクタ１１６（図１０参照）と結合するコネクタ２１１が配備されており、その支持部２１の両脇にはタブレットＰＣ１０の両脇を挟んで保持するための保持部２１２が設けられている。タブレットＰＣ１０がドッキングユニット２０の支持部２１に対し矢印Ｃ方向にドッキングされると、タブレットＰＣ１０の背面のコネクタ１１６（図１０参照）と支持部２１のコネクタ２１１とが組み合うとともに両脇の保持部２１２でタブレットＰＣ１０の両脇が保持され、これにより、そのタブレットＰＣ１０が支持部２１に一体的に固定される。この支持部２１は、矢印Ｃを中心とし矢印Ｄ方向に９０°回転することができ、図１ではタブレットＰＣ１０の表示画面は縦長の姿勢となっているが、これを横長の姿勢とし横長の画面として利用することもできる。
【００３８】
また、このドッキングユニット２０の底の凹部２３には、ユーザのニーズに応じて選択された、ＣＤ−ＲＯＭドライブユニット、ＣＤ−Ｒドライブユニット、ＤＶＤドライブユニット等のドライブユニット２４が矢印Ｅ方向に装着される。
【００３９】
本実施形態の特徴は、図１に示すＰＣシステム１のうちのタブレットＰＣ１０にあり、以下では、タブレットＰＣ１０について説明する。
【００４０】
図２は、図１に示すタブレットＰＣの分解斜視図である。
【００４１】
このタブレットＰＣ１０は、図２の下から順に、前面カバー１２０、ＬＣＤユニット１３０、および背面カバー１４０の３層構造となっている。
【００４２】
前面カバー１２０には周囲の枠の部分を除き広い面積を占める中央部分に表示窓１２１が形成されており、この表示窓１２１には透明な薄板のプラスチックがはめ込まれている。この前面カバー１２０は、ＬＣＤユニット１３０の前面側を覆う役割りを担っている。
【００４３】
また、ＬＣＤユニット１３０は、板状に形成された表示パネルであり、図２には背面が示されているが、その前面には、図３に示すように、その前面のほとんどを占める領域に広がる表示画面１３１を有し、その表示画面１３１が周縁の枠体１３２で囲まれている。この表示画面には、画像が表示される。
【００４４】
また、背面カバー１４０は、ＬＣＤユニット１３０の背面側を覆うことにより、前面カバー１２０と共同してＬＣＤユニット１３０を内部に収容する役割りを担っている。また、この背面カバー１４０は、ＬＣＤユニット１３０を覆う機能を有するだけでなく、ＣＰＵ等からなるコンピュータの機能を備えており、ＬＣＤユニット１３０の表示画面１３１（図３参照）への画像表示処理を含む様々な情報処理を担っている。
【００４５】
ＬＣＤユニット１３０には、３つのネジ止め用金具１５０，１６０，１７０がネジ止めされ、ＬＣＤユニット１３０は、そのＬＣＤユニット１３０にネジ止めされたネジ止め用金具１５０，１６０，１７０が前面カバー１２０にネジ１８１，１８２，１８３，１８４でネジ止めされることにより、その前面カバー１２０に固定される。また、背面カバー１４０には、ネジ頭を隠すための凹部を伴ったネジ止め用バカ穴を有する共締め部１４１，１４２，１４３，１４４が設けられており、背面カバー１４０は、ネジ１９１，１９２，１９３，１９４で、ＬＣＤユニット１３０にネジ止めされさらに前面カバー１２０にネジ止めされたネジ止め用金具１５０，１６０，１７０にネジ止めされる。このとき、ネジ１９１，１９２，１９３，１９４のネジ頭は、各共締め部１４１，１４２，１４３，１４４の凹部に隠れた状態となる。
【００４６】
また背面カバー１４０には、共締め部１４１，１４２，１４３，１４４と同様の、さらに３つの共締め部１４５，１４６，１４７が設けられているが、これについては後述する。
【００４７】
図３，図４は、ＬＣＤパネルへのネジ止め用金具の取付位置を示す斜視図である。
【００４８】
図３には、ＬＣＤパネル１３０の前面が示されており、図４には、ＬＣＤパネル１３０の背面が示されている。
【００４９】
また、図５，図６，図７は、各ネジ止め用金具を示す６面図である。図５〜図７は、それぞれ、図３，図４に示すネジ止め用金具１５０，１６０，１７０を示している。
【００５０】
ＬＣＤユニット１３０の枠体１３１には４つのネジ止め用穴１３２１，１３２２，１３２３，１３２４が設けられており、各ネジ３０１，３０２，３０３，３０４が各ネジ止め用穴１３２１，１３２２，１３２３，１３２４を貫通して、ネジ３０１はネジ止め用金具１５０のネジ穴１５１に螺合し、ネジ３０２はネジ止め用金具１６０のネジ穴１６１に螺合し、さらにネジ３０３，３０４はネジ止め用穴１３２３，１３２４を貫通して、ネジ止め用金具１７０のネジ穴１７１１，１７１２に螺合し、これにより、３つのネジ止め用金具１５０，１６０，１７０がＬＣＤユニット１３０に固定される。
【００５１】
次に、そのＬＣＤユニット１３０に固定された３つのネジ止め用金具１５０，１６０，１７０が前面カバー１２０にネジ止めされることによりＬＣＤユニット１３０が前面カバー１２０に固定される。
【００５２】
ＬＣＤユニット１３０を前面カバー１２０に固定するにあたっては、ネジ１８１がＬＣＤユニット１３０に固定されたネジ止め用金具１５０のバカ穴１５２を貫通して前面カバー１２０の枠体に設けられたネジ穴１２２１に螺合し、ネジ１８２がＬＣＤユニット１３０に固定されたネジ止め用金具１６０のバカ穴１６２を貫通して前面カバーの枠体に設けられたネジ穴１２２２に螺合し、各ネジ１８３，１８４がＬＣＤユニット１３０に固定されたネジ止め用金具１７０のバカ穴１７２１，１７２２を貫通して前面カバーの枠体に設けられたネジ穴１２２３，１２２４に螺合し、これによりＬＣＤユニット１３０が前面カバー１２０に取り付けられる。
【００５３】
また、背面カバー１４０を取り付けるにあたっては、図２に示すように、ネジ１９１が、背面カバー１４０に設けられた共締め部１４１のバカ穴に挿入されて、既に前面カバー１２０に固定された状態のＬＣＤユニット１３０に固定されたネジ止め用金具１５０のネジ穴１５３に螺合し、ネジ１９２が、背面カバー１４０に設けられた共締め部１４２のバカ穴に挿入されて、既に前面カバー１２０に固定された状態のＬＣＤユニット１３０に固定されたネジ止め用金具１６０のネジ穴１６３に螺合し、さらに、各ネジ１９３，１９４が、既に前面カバー１２０に固定された状態のＬＣＤユニット１３０に固定されたネジ止め用金具１７０のネジ穴１７３１，１７３２に螺合し、これにより、背面カバー１４０が、前面カバー１２０との間にＬＣＤユニット１３０を挟み、前面カバー１２０と共同してＬＣＤユニット１３０を収容した状態に取り付けられる。
【００５４】
図８は、前面カバーに取付けられた状態のＬＣＤユニットと背面カバーとを示す分解斜視図である。
【００５５】
３つのネジ止め用金具１５０，１６０，１７０の、背面カバー１４０を取り付けるためのネジ穴１５３，１６３，１７３は、それらのネジ止め用金具１５０，１６０，１７０がＬＣＤユニット１３０に取り付けられた状態において、そのＬＣＤユニット１３０に対し図８の上下方向に重なる位置に設けられている。このようにＬＣＤユニット１３０と前面カバー１２０とをネジ止めするためのネジ止め用金具１５０，１６０，１７０に背面カバー１４０を取り付けるためのネジ穴１５３，１６３，１７３を設け、それらのネジ穴１５３，１６３，１７３をＬＣＤユニット１３０と重なる位置に設けたため、前面カバー１２０および背面カバー１４０の、ＬＣＤユニット１３０の外周から食み出る部分を小さい面積に押えることができ、小型化に寄与している。本実施形態のこの特徴については、後で図９に示す比較例と対比してもう一度説明する。
【００５６】
本実施形態では、図８に示すように背面カバー１４０をネジ止めするためのネジ止め用金具としてこれまで説明してきたネジ止め用金具１５０，１６０，１７０のほか、さらに３つのネジ止め用金具３１０，３２０，３３０が用いられている。これらの３つのネジ止め用金具３１０，３２０，３３０は、それぞれ前面カバー１２０にネジ止めするためのバカ穴が設けられており、各ネジ１８５，１８６，１８７により前面カバーにネジ止めされる。
【００５７】
また、これら３つのネジ止め用金具３１０，３２０，３３０には、背面カバー１４０を取り付けるための各ネジ穴３１１，３２１，３３１が設けられており、図示しない各ネジが背面カバー１４０に設けられた各共締め部１４５，１４６，１４７に挿入され各ネジ止め用金具３１０，３２０，３３０の各ネジ穴３１１，３１２，３１３に螺合し、これにより背面カバー１４０が一層強固に取り付けられている。
【００５８】
ここで、これら３つのネジ止め用金具３１０，３２０，３３０の背面カバー１４０を取り付けるための各ネジ穴３１１，３２１，３３１も、上述した３つのネジ止め用金具１５０，１６０，１７０の、背面カバー取り付け用のネジ穴１５３，１６３，１７３と同じく、ＬＣＤユニット１３０の背面と重なる位置に設けられており、このタブレットＰＣ１０の小型化が図られている。
【００５９】
図９は、比較例としての従来のタブレットＰＣの一例を示す分解斜視図である。
【００６０】
この図９に示す従来のタブレットＰＣも、前面カバー５２０と、ＬＣＤユニット５３０と、背面カバー５４０とから構成されている。この図９は、本実施形態のタブレットＰＣにおける図８と同様、ＬＣＤユニット５３０が既に前面カバー５２０に取り付けられた状態を示している。
【００６１】
ＬＣＤユニット５３０には、ネジ止め用金具５５１，５５２，５５３，５５４がネジ止めされており、さらにそれらのネジ止め用金具５５１，５５２，５５３，５５４がネジ５８１，５８２，５８３，５８４により前面カバー５２０に固定され、これによりＬＣＤユニット５３０が前面カバー５２０に取り付けられている。
【００６２】
前面カバー５２０には、それらのネジ止め用金具５５１，５５２，５５３，５５４とは全く独立にボス５２１，５２２，５２３，５２４が立設し、それらのボス５２１，５２２，５２３，５２４には、背面カバー５４０のネジ止め用のネジ穴５３１，５３２，５３３，５３４が設けられている。一方背面カバー５４０には、それらのネジ穴５３１，５３２，５３３，５３４にそれぞれ対応する位置に、ネジ止め用の穴が形成された共締め部５６１，５６２，５６３，５６４が形成されている。それらの各共締め部５６１，５６２，５６３，５６４には各ネジ５７１，５７２，５７３，５７４が挿入され、前面カバー５２０の各ネジ穴５３１，５３２，５３３，５３４に螺合し、これにより前面カバー５２０に背面カバー５４０が固定される。各共締め部５６１，５６２，５６３，５６４にはネジ５７１，５７２，５７３，５７４のネジ頭を隠すための凹部が形成されており、背面カバー５４０を前面カバー５２０に取り付けた状態では共締め部５６１，５６２，５６３，５６４の凹部にネジ５７１，５７２，５７３，５７４が埋め込めされた状態となる。
【００６３】
この図９に示す比較例の場合、前面カバー５２０と背面カバー５４０とを共締めするためのネジ穴５３１，５３２，５３３，５３４や共締め部５６１，５６２，５６３，５６４は、ＬＣＤユニット５３０の外縁よりもさらに外側に設けられている。この場合、ＬＣＤユニット５３０よりも前面カバー５２０や背面カバー５４０の寸法がＬＣＤユニット５３０の寸法よりもかなり大きな寸法となる。
【００６４】
これに対し、図１〜図８に示す実施形態の場合、ＬＣＤユニット１３０と前面カバー１２０とを固定するためのネジ止め用金具１５０，１６０，１７０に後面カバー取り付け用のネジ穴１５３，１６３，１７３を設け、しかもそのネジ穴１５３，１６３，１６４をＬＣＤユニット１３０に重なる位置に設けるため、その分前面カバー１２０および背面カバー１４０を小型化することができる。
【００６５】
尚、実施形態では、ネジ止め用金具１５０，１６０，１７０をＬＣＤユニット１３０にネジ止めするにあたっては、図３，図４に示すようにネジ止め用金具１５０，１６０，１７０が上下方向からネジ止めされるが、ＬＣＤユニットの種類によっては、ＬＣＤユニットの側面にネジ止め用の穴を有するものがあり、その種類のＬＣＤユニットを採用するときは、その種類のＬＣＤユニットに合うようにネジ止め用金具の形状が工夫され、ネジ止め用金具がＬＣＤユニットの側面にネジ止めされる。
【００６６】
図１０は、図１に示すタブレットＰＣ１０の背面を示す図である。
【００６７】
この背面には、内蔵されたハードディスク（以下、ＨＤＤと称する）装置を覆うＨＤＤカバー１１７が設けられている。
【００６８】
図１１は、図１に示すタブレットＰＣ１０のＨＤＤ装置まわりの分解斜視図である。
【００６９】
この図１１に示すように、タブレットＰＣ１０の背面パネル１４０には、ＨＤＤ装置を装備するための開口部１４８が形成されている。
【００７０】
ここで、この開口部１４８からは、ＬＣＤユニット１３０が露出しており、そのＬＣＤユニット１３０上にＨＤＤ装置４２０の重量がかかるとそのＬＣＤユニット１３０の表示が乱れたり故障の原因となり、ＬＣＤユニット１３０に重量がかかる状態でＨＤＤ装置４２０を装着することはできない。
【００７１】
そこでこの開口部１４８には、本実施形態ではステンレスの薄板（厚さ０．２ｍｍ）で形成された箱型の板金部材４１０がその開口部１４８に嵌入してその板金部材４１０がその開口部１４８の周縁で支えられ、その板金部材４１０にＨＤＤ装置４２０が嵌入し、そのＨＤＤ装置４２０に緩衝部材４３０が乗せられて、その上からＨＤＤカバー１１７が取り付けられる。
【００７２】
図１２は、板金部材の斜視図であり、図１２（Ａ），（Ｂ）は、それぞれ、ＨＤＤ装置４２０（図１１参照）が嵌入する側およびその裏面側を示している。
【００７３】
また図１３は、その板金部材の６面図である。
【００７４】
この板金部材４１０は、上が開いた箱形状のものであり、底部中央部には開口４１１が形成されている。また、その開口４１１の周縁にはＨＤＤ装置４２０（図１１参照）を支持する支持部４１２が広がっている。
【００７５】
また、その底部から立ち上がった側壁４１３の上端には、その側壁４１３から外側に広がる鍔部４１４が形成されている。この鍔部４１４は、この箱型の板金部材４１０が図１１に示す開口部１４８に嵌入されたとき、その開口部１４８の周縁部に乗り、板金部材４１０を開口部１４８の周縁部で支持させるものである。
【００７６】
図１４は、図１１に示す開口部を示す斜視図（Ａ）および平面図（Ｂ）、図１５は、その開口部に板金部材を嵌入させた状態を示す斜視図（Ａ）および平面図（Ｂ）である。
【００７７】
板金部材４１０は、ステンレスの薄板で形成されており、しかも底部中央に開口４１１が形成されているため容易に弾性変形することができ、ＨＤＤ装置４２０を支持する機能のほか、その支持したＨＤＤ装置を衝撃から保護する緩衝材としての機能を有する。このＨＤＤ装置４２０は、ハードディスク（図示せず）が内蔵されており、そのハードディスクが回転しその回転するハードディスクに接近させて配置された磁気ヘッドでアクセスする構造であり、外部からの衝撃に弱く、十分な緩衝材で周囲を囲う必要がある。本実施形態では、この板金部材４１０自体が緩衝材としての機能を有するため、この板金部材４１０以外の緩衝材の厚さを薄くすることができる。
【００７８】
すなわち、図１１および図１５に示すように、板金部材４１０の支持部４１２や側面４１３にはゴム材からなる緩衝材４１５が貼り付けられている。その板金部材４１０には、ＨＤＤ装置４２０が嵌入した状態に配置されるが、そのＨＤＤ装置４２０は、直接的には板金部材４１０に貼付された緩衝材４１５に接した状態にその板金部材４１０に支持される。
【００７９】
板金部材４１０に嵌入させたＨＤＤ装置４２０の上には緩衝部材４３０が配置される。
【００８０】
この緩衝部材４３０の４隅にはゴム材からなる緩衝材４３１が貼付されている。この緩衝部材４３０上からはＨＤＤカバー１１７が被せられるが、このＨＤＤカバー１１７は直接的には緩衝部材４３０に貼付された緩衝材４３１に接し、このＨＤＤカバー１１７に加わる衝撃からＨＤＤ装置４２０を保護している。
【００８１】
図１６は、比較例としての、従来のタブレットＰＣの一例を示す分解斜視図である。
【００８２】
この図１６に示すタブレットＰＣも、基本的には、前面カバーとＬＣＤユニットと背面カバーとの３層で構成されており、背面カバーには、ＨＤＤ装置を装備するための開口部６０１が形成されている。ただし、この開口部６０１の底部６０１１は硬い板で塞がれており、そこにＨＤＤ装置の重量がかかってもＬＣＤユニットには力が加わらないようになっている。
【００８３】
この開口部６０１には、下面に緩衝材６１１が貼付されたプラスチックの緩衝部材６１０が敷かれ、その上にＨＤＤ装置６２０が置かれ、さらに、上面に緩衝材６３１が貼付されたもう１枚の緩衝部材６３０が置かれ、その上からＨＤＤカバー６４０が被せられて固定される。
【００８４】
この構成の場合、開口部６０１の底部６０１１を塞ぐ板が必要であり、さらに緩衝材６１１，６３１のみで緩衝作用を行わせているため厚い緩衝材を使用する必要があり、さらに、緩衝部材６１０も撓みの少ない厚い板材を使う必要があり、全体としてかなりの厚みを必要とし、このタブレットＰＣの厚み寸法が大きくなり、薄型化の要請に反する結果となっている。
【００８５】
図１７は、もう１つの比較例としての、従来のタブレットＰＣのもう１つの例を示す分解斜視図である。
【００８６】
この図１７に示すタブレットＰＣも、前面カバーとＬＣＤユニットと背面カバーとの３層で構成されており、背面カバーには、ＨＤＤ装置を装備するための開口部６１１が形成されている。この開口部６６１の底部にはＬＣＤユニット６５０の背面が露出している。このＬＣＤユニット６５０にはＨＤＤ装置の重量をかけないようにする必要がある。このため、この開口部６１１に装備されたＨＤＤ装置６７０の両側面に、緩衝材６８１が貼付された板金部材６８０を取り付け、開口部６６１に配備されたＨＤＤ装置６７０をその両側で支え、そのＨＤＤ装置６７０の重量がＬＣＤユニット６５０にかからないようにしている。開口部６６１にＨＤＤ装置６７０が置かれた後、その開口部６６１がＨＤＤカバー６６２で塞がれる。
【００８７】
この図１７に示す比較例の場合、ＨＤＤ装置６７０をその両側で支えているため厚さ寸法を小さくすることができ、薄型化の要請は満たしている。しかしながらＨＤＤ装置６７０の両側に板金部材６８０を取り付けその板金部材６８０でＨＤＤ装置を支えているため、開口部６６１の周囲にその板金部材６８０を支えるためのかなり大きなスペースを必要とし、小型化の要請に反することになる。
【００８８】
図１１〜図１５を参照して説明した実施形態の場合、開口部１４８の周囲の寸法もＨＤＤ装置４２０の外形寸法から大きく食み出すほどの寸法は必要ない。また薄い板金部材を備えてその弾性を利用しているため緩衝材１４１，４３１の厚さも薄くて済み、厚み方向の寸法も有利であり、小型化、薄型化の要請に適した構造となる。
【００８９】
図１８は、図１に示すタブレットＰＣ１０を構成するＬＣＤユニットとペンケースとを示した分解斜視図である。
【００９０】
この図１８にはＬＣＤユニット１３０（例えば図３，図４参照）の背面が示されており、そのＬＣＤユニット１３０の上部に、ＬＣＤユニット１３０の背面に配置されるペンケース４４０とそのペンケース４４０に支持されたインバータ４５０が示されている。
【００９１】
ペンケース４４０は、図１に示すペン１３を挿抜自在に収容して保持するものであり、インバータ４５０は、図１に示すバッテリユニット１２から電力の供給を受け、ＬＣＤユニット１３０のバックライトを点灯させるための電力を生成してＬＣＤユニット１３０に供給する役割りを担っている。
【００９２】
図１９は、ペンケースとインバータの斜視図であり、図１９（Ａ）は、図１８と同様、ペンケースにインバータが取り付けられた状態を示し、図１９（Ｂ）は、ペンケースとインバータとを分離して示している。
【００９３】
ペンケース４４０の長手方向両端には、ペンケース４４０を固定するための固定部４４１，４４２が設けられている。このペンケース４４０の各固定部４４１，４４２は、図８に示すネジ止め用金具３１０，１５０にそれぞれ固定され、インバータ４５０を保持した状態でＬＣＤユニット１３０の背面１３５の上に配備される。
【００９４】
インバータ４５０は、図１８および図１９（Ａ）に示すように、ペンケース４４０に支持された状態でＬＣＤユニット１３０の背面上に配置される。ＬＣＤユニット１３０の背面１３５には電磁ノイズ防止用のシールド板が広がっており、インバータ４５０は一種のノイズ源であるが、そのシールド板の作用により、そのインバータ４５０で発生したノイズがＬＣＤユニット１３０の表示やペン位置の検出に悪影響を及ぼすことが防止されている。
【００９５】
図２０は、背面カバーの斜視図である。
【００９６】
この図２０には背面カバー１４０の、図１８に示すＬＣＤユニット１３０の背面１３５に接する内側が示されている。
【００９７】
図１８，図１９に示すペンケース４４０およびインバータ４５０は、背面カバー１４０の収納部１４８に収納され、ペン開口１１５（図１を合わせて参照）からペン１３がペンケース４４０に挿入され、あるいはそのペンケース４４０から取り出される。
【００９８】
図２１は、前面カバーに固定された状態のＬＣＤユニットと背面カバーとを示す斜視図である。
【００９９】
ペンケース４４０の両端の固定部４４１，４４２がそれぞれネジ止め用金具３１０，１５０に取り付けられ、ペンケース４４０がインバータ４５０を保持してＬＣＤユニット１３０の背面１３５の上に乗っている。
【０１００】
その上から、背面ユニット１４０が矢印Ｆ方向に被せるように重ねられる。その際にペンケース４４０とインバータ４５０は、背面カバーの収納部１４８に収納される。
【０１０１】
ペンケース４４０自体は、背面カバー１４０に配置してもよいが、インバータ４５０は、ＬＣＤユニット１３０との間で電気的接続を行なう必要があり、インバータ４５０を背面カバー１４０に配置すると、背面カバー１４０を取り付けるにあたり、インバータ４５０とＬＣＤユニット１３０との配線が問題となる。このため、インバータ４５０は、図２に示すように背面カバー１４０がＬＣＤユニット１３０から離れている状態においてＬＣＤユニット１３０側に配置しておく必要がある。このため、本実施形態では、ペンケース４４０がＬＣＤユニット１３０側に配置され、そのペンケース４４０にインバータ４５０を支持させている。
【０１０２】
ここでは、インバータ４５０をＬＣＤユニット１３０の背面に重ねた位置に配置したため、インバータ４５０の存在によってこのタブレットＰＣが大型化せずに済み、小型化の要請に適合している。
【０１０３】
図２２は、比較例としての従来のタブレットＰＣの一例を示す分解斜視図である。
【０１０４】
この図２２には、本実施形態における図２１と同様、前面カバー７２０に固定された状態のＬＣＤユニット１３０と背面カバー７４０の内面とが示されている。
【０１０５】
この図２２に示す比較例では、インバータ７５０は、ＬＣＤユニット７３０に並ぶ位置に配置されて前面カバー７２０に固定されている。
【０１０６】
この場合、前面カバー７２０は、たとえ背面カバー７４０に空きスペースがあったとしても、ＬＣＤユニット７３０とインバータ７５０との双方を並べて配置するための寸法が必要となり、大型化する結果となる。また、背面ユニット７４０にはパーソナルコンピュータとしての機能を実現するためのＣＰＵやその他の様々な回路部品が搭載されており、この背面ユニット７４０が矢印Ｇ方向に重ねられるため、ＬＣＤユニット７３０の背面には、インバータ７００が配置されていなくても、背面カバー７４０に搭載された様々な回路部品から発生するノイズがＬＣＤユニット７３０の表示やペン位置の検出機能に悪影響が及ばないよう、シールド板が広がっている。ところが、インバータ７５０はＬＣＤユニット７３０の横に配置されているため、インバータ７５０から発せられるノイズをそのシールド板のみでは防ぎきることができず、そのＬＣＤユニット７３０のインバータ７５０側の側面等に新たなシールド部材が配置されている。このため、図２２の構成の場合、小型化の要請に反するだけではなく、ノイズ対策上も不利であり、ＬＣＤユニット７３０の背面のシールド板のほかに余計なシールド部品を必要とし、部品点数が増え、コスト上不利である。
【０１０７】
これに対し、本実施形態の場合、例えば図２１に示すようにインバータ４５０をＬＣＤユニット１３０の背面の上に乗せ、背面カバーの空きスペースである収納部１４８に収納するように構成したため、小型化に寄与し、かつノイズ対策上も有利である。
【０１０８】
以下本発明の各種実施形態を付記する。
【０１０９】
尚、これまで説明してきた実施形態は、情報処理機能を有するタブレットＰＣの例であるが、本発明では必ずしも情報処理を有するもののみに適用されるものではなく、例えばディスプレイ機能のみの電子装置にも適用可能である。
【０１１０】
（付記１）
前面に表示画面を有する板状の表示パネルと、
前記表示画面に対応した位置に表示窓を有し前記表示パネルの一面側を覆う第１のカバーと、
前記表示パネルの他面側を覆うことにより前記第１のカバーと共同して前記表示パネルを内部に収容する第２のカバーとを備えた電子装置において、
前記表示パネル周縁部への固定用の第１の穴と、前記第１のカバーへの固定用の第２の穴と、前記第２のカバーの固定用の第３の穴とを有する固定用部材を備え、
前記固定用部材が、前記第３の穴を、前記第１の穴が利用されて該固定用部材が前記表示パネルに固定されたときの該表示パネルに重なる位置に有するものであることを特徴とする電子装置。
【０１１１】
（付記２）
前記第３の穴がネジ穴であり、前記第２のカバーは該ネジ穴とネジによって固定されることを特徴とする付記１記載の電子装置。
【０１１２】
（付記３）
前面に表示画面を有する板状の表示パネルと、
前記表示画面に対応した位置に表示窓を有し前記表示バネルの一面側を覆う第１のカバーと、
前記表示パネルの他面側を覆うことにより前記第１のカバーと共同して前記表示パネルを内部に収容する第２のカバーとを備えた電子装置において、
前記第１のカバーへの固定用の第４の穴と前記第２のカバーの固定用の第５の穴とを有する固定用部材を備え、
前記固定用部材は、前記第５の穴を、前記表示パネルと前記第１のカバーとが固定され、さらに該固定用部材が該第１のカバーに固定されたときの該表示パネルに重なる位置に有するものであることを特徴とする電子装置。
【０１１３】
（付記４）
前記第５の穴がネジ穴であり、前記第２のカバーは該ネジ穴とネジによって固定されることを特徴とする付記３記載の電子装置。
【０１１４】
（付記５）
前面に表示画面を有する板状の表示パネルと、
前記表示画面に対応した位置に表示窓を有し前記表示パネルの一面側を覆う第１のカバーと、
前記表示パネルの他面側を覆うことにより前記第１のカバーと共同して前記表示パネルを内部に収容する第２のカバーとを備えた電子装置において、
前記第２のカバーが開口部を有し、該第２のカバーが、
底部中央部が開口し前記開口部に嵌入して該開口部周縁に支持された箱形の板金部材と、
前記板金部材に嵌入し該板金部材の底部周縁部に支持された状態に前記開口部内部に配備された、ディスク型記憶媒体を駆動するディスク装置とを備えたことを特徴とする電子装置。
【０１１５】
（付記６）
前記ディスク装置が、ハードディスクを内蔵し該ハードディスクを駆動するハードディスク装置であることを特徴とする付記５記載の電子装置。
【０１１６】
（付記７）
前面に表示画面を有する板状の表示パネルと、
前記表示画面に対応した位置に表示窓を有し前記表示パネルの一面側を覆う第１のカバーと、
前記表示パネルの他面側を覆うことにより前記第１のカバーと共同して前記表示パネルを内部に収容する第２のカバーとを備えた電子装置において、
電力供給を受けて、該電力を前記表示パネルに供給するための電力に変換する電力変換器を備え、該電力変換器が、前記第１のカバーに固定され前記表示パネル背面に重なる位置に配備されたものであることを特徴とする電子装置。
【０１１７】
（付記８）
前記表示パネルが、ペンの接触あるいは接近位置を検出するペン入力機能を有するものであって、
前記第１のカバーに固定され前記表示パネル背面に重なる位置に配備された、前記ペンを収容するペンケースを備え、
前記電力変換器は、前記ペンケースに固定され該ペンケースを介して前記第１のカバーに固定されたものであることを特徴とする付記７記載の電子装置。
【０１１８】
（付記９）
前記電力変換器は、前記表示画面のバックライト用の電力を供給するインバータであることを特徴とする付記７記載の電子装置。
【０１１９】
（付記１０）
前記固定用部材は金具であることを特徴とする付記１又は３記載の電子装置。
【０１２０】
（付記１１）
前記電子装置には、前記表示画面への画像表示処理機能を含む情報処理機能が搭載されることを特徴とする付記１、３、５または７のいずれか１項記載の電子装置。
【０１２１】
（付記１２）
前面に表示画面を有する板状の表示パネルと、
前記表示画面に対応した位置に表示窓を有し前記表示バネルの一面側を覆う第１のカバーと、
前記表示画面への画像表示処理機能を含む情報処理機能が搭載され前記表示パネルの他面側を覆うことにより前記第１のカバーと共同して前記表示パネルを内部に収容する第２のカバーとを備えた電子装置において、
前記表示パネル周縁部への固定用の第１の穴と、前記第１のカバーへの固定用の第２の穴と、前記第２のカバーの固定用の第３の穴とを有する固定用金具を備え、
前記第２のカバーは前記固定用金具の第３の穴にネジ止めされることを特徴とする電子装置。
【０１２２】
（付記１３）
前面に表示画面を有する板状の表示パネルと、
前記表示画面に対応した位置に表示窓を有し前記表示パネルの一面側を覆う第１のカバーと、
前記表示画面への画像表示処理機能を含む情報処理機能が搭載され前記表示バネルの他面側を覆うことにより前記第１のカバーと共同して前記表示パネルを内部に収容する第２のカバーとを備えた電子装置において、
前記表示パネル周縁部への固定用の第１の穴と、前記第１のカバーヘの固定用の第２の穴と、前記第２のカバーの固定用の第３の穴とを有する固定用部材を備え、
前記固定用部材は、前記第３の穴を、前記第１の穴が利用されて該固定用部材が前記表示パネルに固定されたときの該表示パネルおよび該固定用部材を包含する矩形領域に重なる位置に有するものであることを特徴とする電子装置。
【０１２３】
（付記１４）
前面に表示画面を有する板状の表示パネルと、
前記表示画面に対応した位置に表示窓を有し前記表示パネルの一面側を覆う第１のカバーと、
前記表示パネルの他面側を覆うことにより前記第１のカバーと共同して前記表示パネルを内部に収容する第２のカバーとを備えた電子装置において、
前記第１のカバーヘの固定用の第４の穴と前記第２のカバーの固定用の第５の穴とを有する固定用部材を備え、
前記固定用部材は、前記第５の穴を、前記表示パネルと前記第１のカバーとが固定され、さらに該固定用部材が該第１のカバーに固定されたときの該表示パネルおよび該周定用部材を包含する矩形領域に重なる位置に有するものであることを特徴とする電子装置。
【符号の説明】
【０１２４】
１    ＰＣシステム
１０    タブレットＰＣ
１１    本体部
１２    バッテリユニット
１３    ペン
２０    ドッキングユニット
２１    支持部
２３    凹部
２４    ドライブユニット
１１１    表示画面
１１２    Ｉ／Ｏ用コネクタ
１１３    各種操作ボタン
１１４    赤外線通信部
１１５    ペン開口
１１７    ＨＤＤカバー
１２０    前面カバー
【図１】
2010282217.tif 000003
【図２】
2010282217.tif 000004
【図３】
2010282217.tif 000005
【図４】
2010282217.tif 000006
【図５】
2010282217.tif 000007
【図６】
2010282217.tif 000008
【図７】
2010282217.tif 000009
【図８】
2010282217.tif 000010
【図９】
2010282217.tif 000011
【図１０】
2010282217.tif 000012
【図１１】
2010282217.tif 000013
【図１２】
2010282217.tif 000014
【図１３】
2010282217.tif 000015
【図１４】
2010282217.tif 000016
【図１５】
2010282217.tif 000017
【図１６】
2010282217.tif 000018
【図１７】
2010282217.tif 000019
【図１８】
2010282217.tif 000020
【図１９】
2010282217.tif 000021
【図２０】
2010282217.tif 000022
【図２１】
2010282217.tif 000023
【図２２】
2010282217.tif 000024